(57)【要約】【課題】使用者が低温域から高温域の任意の風温の温風を選定して取り出すことができるものであって、風温を選定する際に低温域の温度を選定し、それが最も低い最下位置を選定した場合には、温風発生を止め、送風状態のみとするものである。【解決手段】人体が入った布団に温風或は室温の空気を送り込むものにおいて、送風ファン８とヒータ７と、前記ヒータの発熱量を変えて風温を設定する温度設定手段２３を、温度設定手段が低温域の最下位置にある時に機能する送風専用手段２４とを備え、前記送風専用手段の機能によりヒータの発生を停止して室温空気の送風を行う。【選択図】        図１
2004270961.tif 000002
【特許請求の範囲】
【請求項１】
布団に温風或は室温の空気を送風する送風装置において、前記送風装置は、空気を温風に変換する加熱手段と、温風或は室温空気の送風手段と、操作によって風温を低温域から高温域の任意の温度に設定する温度設定手段と、前記温度設定手段には低温域の最下位置に設定した送風専用手段とを備え、前記送風専用手段は、温度設定手段の操作によって最下位置に設定した時に、前記加熱手段への給電を停止し送風手段を実行することを特徴とする布団送風機。
【請求項２】
前記送風手段による風量を任意に設定する風量設定手段と、前記風量設定手段により設定された設定風量を記憶する送風量記憶手段とを備え、前記送風専用手段の実行時は送風量記憶手段により記憶した風量を送風することを特徴とする請求項１に記載の布団送風機。
【発明の詳細な説明】
【０００１】
【発明の属する技術分野】
本発明は人体が敷布団と掛布団間に入った状態で布団自体に形成した通路、或は２枚の布団間に介在した通気性シート内に温風、或は室温の空気を送風する布団送風機に関する。
【０００２】
【従来の技術】
一般に知られている布団乾燥機は、敷布団と掛布団間に介装した通気性シートに温風を送り込んで敷布団と掛布団の両方を乾燥するようにしたものである。
【０００３】
布団乾燥機は前述のように、もともと布団を乾燥することを目的として提案されたものであり、基本的には布団の乾燥中に人間が布団間に入ることはない。
【０００４】
即ち、布団乾燥機は、乾燥時において、単にヒータとファンに交流電源を供給しタイマーによって設定された時間の間、布団に室温＋ヒータ温度の温風を吹きつけ乾燥させるものである。
【０００５】
換言すれば、布団乾燥機には温風温度のコントロールや風量設定を行うことができない布団乾燥専用機である。
【０００６】
ところが、布団乾燥機とは若干似た構成の布団送風機が特許第３１８６６３２号公報で提案された。これは、敷布団と掛布団間に人間が入った状態で好みの温風と風量を取り込み快い睡眠や寝たきり病人の床づれを防止する点で布団乾燥機と全く機能が異なる。
【０００７】
【発明が解決しようとする課題】
ところが、前述の先行技術では確かに人間が入っている布団に温風や冷風を送り込んで快適な就寝環境を作り出す点で有効であるが、使用者の体質や年令等によっては風温が高くて息苦しくなり、逆に風温が低く快適さが得られないことがある。
【０００８】
さらには、風量においても風温との絡みから、例えば風温設定が高温側であれば風量を多くした時には、希望する温度よりも風温が低下し、風量が少なければかなり高温の温風が出ることになる。
【０００９】
この様な理由から、風温と風量は連係させて設定する必要があり、設定された風温に見合った風量が得られるようにすることが望ましい。
【００１０】
【発明が解決しようとする課題】
また、人間の体感温度はかなり敏感であり、仮に０．５度の温度差があっても暑かったり、寒かったりするため、種々の要因に応じて微妙な温度を得るようにすることが必要である。
【００１１】
従って、風温の温度設定を０．５度間隔で設定するようにすれば理想の就寝環境が得られるわけであるが、ここで問題となるのは風温の温度設定の低温設定値と高温設定値の具体的数値である。
【００１２】
高温設定値は標準的な体温を基にして決定しなくてはならず、概ね体温よりも若干高い３８度が適当と思われる。しかし低温設定値は基準となるものがなく具体的な温度に特定するのは難しい。
【００１３】
本発明は、低温設定値を冬季や夏季の外気温等を考慮して設定し使用者は低温域から高温域の任意の温度（風温）を選定できるものであって、仮に低温域中でも低い最下位置に設定した時には暑苦しさをなくしたものである。
【００１４】
【課題を解決するための手段】
本発明は、布団に温風或は室温の空気を送風する送風装置において、前記送風装置は、空気を温風に変換する加熱手段と、温風或は室温空気の送風手段と、操作によって風温を低温域から高温域の任意の温度に設定する温度設定手段と、前記温度設定手段には低温域の最下位置に設定した送風専用手段とを備え、前記送風専用手段は、温度設定手段の操作によって最下位置に設定した時に、前記加熱手段への給電を停止し送風手段を実行するものである。
【００１５】
また、前記送風手段による風量を任意に設定する風量設定手段と、前記風量設定手段により設定された設定風量を記憶する送風量記憶手段とを備え、前記送風専用手段の実行時は送風量記憶手段により記憶した風量を送風するものである。
【００１６】
【発明の実施の形態】
本発明の実施例を図面に基づいて説明する。図１は本発明の布団送風機のフローチャート、図２は同じく送風装置の平面断面図、図３は同じく送風温の温度設定、風量設定等を行うリモートコントローラーの平面図、図４は同じくブロック図、図５は同じく布団に送風する実使用状態を示す説明図である。
【００１７】
（１）は箱形の送風装置で、その詳細構造を説明する。（２）は長方形のケース、（３）（３）は前記ケース（２）の両側壁に設けた吸気口、（４）、（４）は前記ケース（２）の一側壁に設けた吐出口、（５）は前記ケース（２）の内部を長手方向に２分する仕切板、（６）は前記吸気口と吐出口との間を仕切板（５）によって区画した通風路、（７）は前記通風路（６）の一部に設置した加熱手段（以下ヒータとする）、（８）は前記吸気口（４）、（４）から吸気した空気をヒータ（７）に通して温風に変換し吐出口（４）、（４）から吐出する送風手段（以下ファンとする）で、ヒータの発熱がない場合は室温のままの吸気を送風することとなる。
【００１８】
次に、図３に示すリモートコントローラーの説明を行う。（９）は運転を開始する運転スイッチ、（１０）は運転スイッチ（９）が操作されたことを表示する運転表示器、（１１）は前記ファン（８）による風量を変更する風量調節手段（以下風量ボタンとする）で、ステップ押しで「強風」、「中風」、「弱風」の３段階の風量が得られるように設定されている。（１２）（１２）（１２）は前記風量ボタン（１１）により設定された風量を表示する風量表示器、（１３）は吐出口（４）から吐風する風温を設定する温度調節手段で、設定温度を上昇させるアップボタン（１４）と設定温度を下降させるダウンボタン（１５）を備えている。
【００１９】
（１６）は前記アップボタン（１４）或はダウンボタン（１５）によって設定された温度を表示する７セグメント表示素子よりなる温度表示器で、０．５度単位で表示するようになされ低温域の最下位置では「Ｆ」表示する。（１７）は室温を検出し通風路（６）内の風温が設定温度を維持するために設けた室温センサー、（１８）は急激に風温を上昇させる速暖釦、（１９）は速暖設定状態を示す表示器、（２０）は布団の乾燥に適した風温に自動設定するふとん乾燥釦である。
【００２０】
図４はブロック図を示し、（２１）は風量ボタン（１１）によって操作された信号に基づき「強風」設定、「中風」設定、「弱風」設定の１つの設定状態を記憶する風量設定手段、（２２）は前記風量設定手段の設定値に基づいて風量を制御する風量制御手段、（２３）は前記アップボタン（１４）及びダウンボタン（１５）によって操作された信号に基づき「低温」設定、「中温」設定、「高温」設定の設定状態を記憶する温度設定手段で、図４には設定温度を前述の様な３位置だけあるかのように作図したが、実際には、低温域の２６．５〜３０．５度、中温域の３１．０〜３５．０度、高温域の３５．５〜３８．０度で区分され、その間は０．５度ずつの温度幅で設定できる。勿論、各温域の区分は目安であり、多少温度幅に変化があっても実使用問題はない。
【００２１】
（２４）は送風量記憶手段で、ダウンボタン（１５）を連続してステップ押しを行うと、低温域に区分された温度領域でも０．５ずつ設定温度が低下し低温域の最下位置の２６．５度まで低下すると温風の送風を止め室温の空気による送風状態とし温度表示器（１６）は「Ｆ」表示とする送風モードとなる送風専用手段とする。
【００２２】
換言すれば、２６．５度の設定は、送風量記憶手段（２４）により温度表示器（１６）の表示内容が「Ｆ」で自動的に送風モードに切り替わる。
【００２３】
（２５）は前記温度設定手段（２１）の設定値に基づいて風温を制御する温度制御手段、（２６）は前記通風路（６）内に設けた風温を検出する温度センサー（図示せず）よりなる温度検出手段、（２７）はファンやヒータの通電時間を設定するタイマー手段である。
【００２４】
次に、図１、図２、図５を参照しながら動作を説明する。運転を開始する前の準備作業としてマットレス（Ｍ）の上に掛布団（Ｋ）と敷布団（Ｓ）を重ね合わせる。それぞれの布団には縫製によって送風路（２８）、（２９）を形成した通気性のシート（３０）、（３１）を縫いつけており、前記送風路の端部（風取入側）を吐出口（４）（４）に連結する。
【００２５】
つづいて、送風装置（１）に交流電源を供給し、運転スイッチ（９）を操作した後、例えば風温を上昇させる設定を場合には、アップボタン（１４）をステップ押しにして設定温度（Ｔａ）を０．５度ずつ上昇させ（Ｓ１）〜（Ｓ４）、温度設定が終了した時の設定温度（Ｔａ）が高温域の最高位置の３８度の場合には、そのまま風温が３８度に設定された状態でファン（８）及びヒータ（７）に通電し通常運転を行う（Ｓ６）、（Ｓ７）。
【００２６】
温度設定が終了した時の設定温度（Ｔａ）が最高温度３８度よりも低い希望の温度Ｘ度の場合は風温がＸ度で設定された状態で通常運転を行う（Ｓ８）、（Ｓ９）。
【００２７】
また、前述の運転スイッチ（９）の操作後に風温を下げる設定を行う場合には、ダウンボタン（１５）をステップ押しにして設定温度（Ｔｂ）を０．５度ずつ下降させ（Ｓ１０）〜（Ｓ１３）、温度設定が終了した時の設定温度（Ｔｂ）が低温域の最低位置の２６．５度の場合には、温度表示器（１６）が「Ｆ」表示となり、また、送風量記憶手段（２４）により送風モードに自動設定され送風運転がなされる（Ｓ１４）〜（Ｓ１６）。
【００２８】
ステップ（Ｓ１５）の時点で「Ｆ」表示がなく最低温度とならない設定温度の場合には、設定温度（Ｔｂ）が希望の温度Ｙ度で設定された状態で通常運転を行う（Ｓ１７）、（Ｓ１８）。
【００２９】
布団間には図示していないが人間が入り、送風路（２８）、（２９）から吐出する温風を間接的に身体に当てて睡眠、或は冬季での暖房用として使用するわけであるが、使用者の年令、性別、血圧や脈拍数等の生理データ、外気温等の要因に合わせて設定温度を変える。
【００３０】
ところで、温風の送風状態において、使用者が非常に暑苦しく感じて即時に室温空気の送風のみを取り出したい時には、ダウンボタン（１５）を連続してステップ押しを行い送風量記憶手段（２４）により低温域の最下位置に設定してヒータ（７）への通電を停止すると共に、室温空気による送風状態とする。
【００３１】
この時の風量は、送風量記憶手段（２４）によって設定された温風取り出し時の設定風量をそのまま維持する。
【００３２】
【発明の効果】
以上の様に本発明は、布団に入った人体に温風或は室温の空気を送風するものであって、所望の風温、風量により快適な睡眠や暖房が得られ、床擦れも防止することができる。特に、温度調節手段によって所望の風温を得るようにした構成において、設定温度が低温域の最下位置に設定した時に送風専用手段が機能して自動的に温風の発生を止めた送風のみを行うようにしたため、例えば夏季等の外気温が低い時に低温側に設定した場合に、急いで送風のみを得たい時には温度設定手段による操作が急速に行われるわけであるが、使用者の意図で最下位置を選択することにより送風が得られる。このことは、例えば最下位置に設定した時に発生する室温空気の送風が身体に不快感を与えると思われる場合には、同じ温度設定手段の操作で設定温度を上昇させ室温空気の送風から若干温度の低い温風に変えて吐出することができる。
【００３３】
また、室温空気の送風時には送風専用手段（送風量記憶手段）により記憶した風量を送風するため、室温空気の送風発生時に急激に多量の風量（高風量）が発生して驚きをきたし、或いは急激に少量の風量（低風量）となって物足りなさを感ずることがなく、予め設定された風量を発生することにより、これを基にして使用者の好みの風量にあらためて設定することができる。
【図面の簡単な説明】
【図１】本発明の布団送風機のフローチャートである。
【図２】同じく送風装置の平面断面図である。
【図３】同じく送風温の温度設定と風量設定を行うリモートコントローラーの平面図である。
【図４】同じくブロック図である。
【図５】同じく布団に送風する実使用状態を示す説明図である。
【符号の説明】
１  送風装置
７  加熱手段（ヒータ）
８  送風手段（ファン）
９  運転スイッチ
１１  風量調節手段（風量ボタン）
１３  温度調節手段
２１  風量設定手段
２３  温度設定手段
２４  送風量記憶手段（送風専用手段）
【図１】
2004270961.tif 000003
【図２】
2004270961.tif 000004
【図３】
2004270961.tif 000005
【図４】
2004270961.tif 000006
【図５】
2004270961.tif 000007